(57)【要約】      （修正有）【課題】携帯電話のダイアルキーの文字種に対する多様化の提供。【解決手段】「アラビア数字」、「かな」の文字で書かれている携帯電話のダイアルキーボタンに対して「アラビア数字」、「かな」の代わりに漢数字、漢字、カタカナを使用して表した装着物を装着することによって使用者の嗜好の多様化に対応する。【選択図】図３
0003141081.tif 000002
【実用新案登録請求の範囲】
【請求項１】
携帯電話のダイアルキー上の「数字」、「かな」、「英字」からなる文字のうち、「かな」の「あ、か、さ、た、な、は、ま、や、ら、わ、を、ん」をそのもとになった漢字「安、加、左、太、奈、波、末、也、良、和、遠、无」に置き換えて印刷したシール。
【請求項２】
携帯電話のダイアルキー上の「数字」、「かな」、「英字」からなる文字のうち、「かな」の「あ、か、さ、た、な、は、ま、や、ら、わ、を、ん」をそのもとになった漢字「安、加、左、太、奈、波、末、也、良、和、遠、无」に置き換えて印刷したダイアルキー部分のカバー式ボタン。
【請求項３】
携帯電話のダイアルキー上の「数字」、「かな」、「英字」からなる文字のうち、「かな」の「あ、か、さ、た、な、は、ま、や、ら、わ、を、ん」をカタカナの「ア、カ、サ、タ、ナ、ハ、マ、ヤ、ラ、ワ、ヲ、ン」に置き換えて印刷したシール。
【請求項４】
携帯電話のダイアルキー上の「数字」、「かな」、「英字」からなる文字のうち、「かな」の「あ、か、さ、た、な、は、ま、や、ら、わ、を、ん」をカタカナの「ア、カ、サ、タ、ナ、ハ、マ、ヤ、ラ、ワ、ヲ、ン」に置き換えて印刷したダイアルキー部分のカバー式ボタン。
【請求項５】
携帯電話のダイアルキー上の「数字」、「かな」、「英字」からなる文字のうち、「数字」の「１、２、３、４、５、６、７、８、９、０」を漢数字「一、二、三、四、五、六、七、八、九、〇」に置き換えて印刷したシール。
【請求項６】
携帯電話のダイアルキー上の「数字」、「かな」、「英字」からなる文字のうち、「数字」の「１、２、３、４、５、６、７、８、９、０」を漢数字「一、二、三、四、五、六、七、八、九、〇」に置き換えて印刷したダイアルキー部分のカバー式ボタン。
【請求項７】
携帯電話のダイアルキー上の「数字」、「かな」、「英字」からなる文字のうち、「数字」の「１、２、３、４、５、６、７、８、９、０」を漢数字「壱、弐、参、肆、伍、陸、※「図１０参照」または漆、捌、玖、零」に置き換えて印刷したシール。
【請求項８】
携帯電話のダイアルキー上の「数字」、「かな」、「英字」からなる文字のうち、「数字」の「１、２、３、４、５、６、７、８、９、０」を漢数字「壱、弐、参、肆、伍、陸、※「図１０参照」または漆、捌、玖、零」に置き換えて印刷したダイアルキー部分のカバー式ボタン。
【考案の詳細な説明】
【技術分野】
【０００１】
本考案は、携帯電話のダイアルキーボタンの文字種パターンに関するものである。
【背景技術】
【０００２】
従来の携帯電話のダイアルキーは「アラビア数字」、「がな」、「英字」がダイアルキーボタンに配置されている。
【考案の開示】
【考案が解決しようとする課題】
【０００３】
現在、携帯電話の所有者の数は飛躍的に増加し、それぞれ個人の嗜好も多様化している。
しかしながら携帯電話会社、携帯電話機製造メーカが異なり、それぞれのサービスや機能は異なってもダイアルキーに使用されている文字種は「アラビア数字」、「がな」、「英字」と一律であり、面白みに欠けると感じる人もいる。
【課題を解決するための手段】
【０００４】
そこで、使用者の嗜好によって使用する文字を選択できる選択肢を考案した(図１、図２、図３、図４、図５、図６、図７)。
【考案の効果】
【０００５】
本考案により携帯電話等の使用者は、嗜好に合った文字のダイアルキーボタンの選択が可能となり快適に遊び心を持ってダイアルキーボタンを押すことが可能となる。
【考案を実施するための最良の形態】
【０００６】
本考案に係る器具の使用方法は、携帯電話等の使用者は、図１、図２、図３、図４、図５、図６、図７等のダイアルキーボタン形状のうちからそれぞれの嗜好に合ったパターンを選択して使用することによりダイアルキー入力を楽しく行うことが出来る。
【０００７】
実施方法は、変更するダイアルキーパターンのシールをダイアルキー部分に貼り付ける。又は、変更するダイアルキーパターンのカバー式ボタンをダイアルキー部分に装着する。
【実施例１】
【０００８】
図８は変更するダイアルキーパターンをシールにしてダイアルキーに貼り付けるものである。
【０００９】
図９は変更するダイアルキーパターンをカバー式ボタンにしてダイアルキー部分に装着するものである。
【図面の簡単な説明】
【００１０】
【図１】本考案を適用する前の通常に市販されている携帯電話のダイアルキーボタンの形状である。
【図２】本考案に係るダイアルキーボタンに配置する「かな」を「漢字」にした場合のダイアルキーボタンの形状である。
【図３】本考案に係るダイアルキーボタンに配置する「かな」を「漢字」にし、「数字」を現在使われている「漢数字」にした場合のダイアルキーボタンの形状である。
【図４】本考案に係るダイアルキーボタンに配置する「かな」を「漢字」にし、「数字」を古いタイプの「漢数字」にした場合のダイアルキーボタンの形状である。
【図５】本考案に係るダイアルキーボタンに配置する「かな」を「カタカナ」にした場合のダイアルキーボタンの形状である。
【図６】本考案に係るダイアルキーボタンに配置する「かな」を「カタカナ」にし、「数字」を現在使われている「漢数字」にした場合のダイアルキーボタンの形状である。
【図７】本考案に係るダイアルキーボタンに配置する「かな」を「カタカナ」にし、「数字」を古いタイプの「漢数字」にした場合のダイアルキーボタンの形状である。
【図８】本考案に係るダイアルキーパターンをシールにしたものである
【図９】本考案に係るダイアルキーパターンをカバーの状態にしてダイアルキー部分に装着するものである。
【図１０】本考案に係るダイアルキーパターンに使用するアラビア数字の「７」に対応する漢数字の二つの文字種のうちの一つの文字種であり、オンライン出願のソフトウェアでは正しく表示されない文字のため、図面によって表現したものである。
【その他】
【００１１】
請求項７、請求項８の※「図１０参照」はオンライン出願のソフトウェアでは正しく表示されない文字であるため、図１０によって表現した。
【図１】
0003141081.tif 000003
【図２】
0003141081.tif 000004
【図３】
0003141081.tif 000005
【図４】
0003141081.tif 000006
【図５】
0003141081.tif 000007
【図６】
0003141081.tif 000008
【図７】
0003141081.tif 000009
【図８】
0003141081.tif 000010
【図９】
0003141081.tif 000011
【図１０】
0003141081.tif 000012
【手続補正書】
【提出日】平成20年2月6日(2008.2.6)
【手続補正１】
【補正対象書類名】実用新案登録請求の範囲
【補正対象項目名】請求項７
【補正方法】変更
【補正の内容】
【請求項７】
携帯電話のダイアルキー上の「数字」、「かな」、「英字」からなる文字のうち、「数字」の「１、２、３、４、５、６、７、８、９、０」を漢数字「壱、弐、参、肆、伍、陸、▲七▼（図１０に示した文字）または漆、捌、玖、零」に置き換えて印刷したシール。
【手続補正２】
【補正対象書類名】実用新案登録請求の範囲
【補正対象項目名】請求項８
【補正方法】変更
【補正の内容】
【請求項８】
携帯電話のダイアルキー上の「数字」、「かな」、「英字」からなる文字のうち、「数字」の「１、２、３、４、５、６、７、８、９、０」を漢数字「壱、弐、参、肆、伍、陸、▲七▼（図１０に示した文字）または漆、捌、玖、零」に置き換えて印刷したダイアルキー部分のカバー式ボタン。
【手続補正３】
【補正対象書類名】明細書
【補正対象項目名】００１１
【補正方法】変更
【補正の内容】
【００１１】
請求項７、請求項８の▲七▼（図１０に示した文字）はオンライン出願のソフトウェアでは正しく表示されない文字であるため、図１０によって表現した。